(57)【特許請求の範囲】
【請求項１】
平板部に側面の一部が開口した円筒部を所定の間隔を開けて２つ備えた第１部材と、平板部に側面の一部が開口した円筒部を１つ備えた第２部材と、側面の一部が開口した円筒軸状に形成され、前記第１部材及び前記第２部材の前記円筒部に収容され、その開口部が前記第１部材の開口部と一致した状態で前記第１部材と互いに回動できないように固定される第３部材とで構成され、
前記第２部材は、該第２部材と前記第１部材との相対的な回動を制限する付勢手段を備え、前記第２部材が前記第１部材に対して前記第３部材を中心として相対的に回動し、前記第２部材の前記付勢手段に対抗する方向に前記第２部材を前記第１部材に対して相対的に回動させたときに、前記第１部材、第２部材及び第３部材の開口部が一致することを特徴とする蝶番構造。
【発明の詳細な説明】
【０００１】
【発明の属する技術分野】
本発明は、蝶番構造に関し、特に、光ファイバ等の線状部材を内部に挿通しながら開閉動作を行う際に使用される蝶番構造に関する。
【０００２】
【従来の技術】
従来、光通信システム内等において光ファイバ同士の接続部を保持するとともに、余長処理等を行うため、例えば、特許第２７２２６４３号公報において、図５に示すような光ファイバ接続板が提案されている。
【０００３】
この光ファイバ接続板は、ベース板２１と、背面板２２と、蝶番２３とを備え、蝶番２３には、図６に示すように、その軸線方向に沿って光ファイバを挿通する貫通孔２３ａと、円筒部２３ｂと、中空円筒部２３ｃと、スリット２３ｄが形成される。
【０００４】
そして、接続対象の光ファイバを蝶番２３のスリット２３ｄを通して中空円筒部２３ｃによって形成される貫通孔２３ａに保持してベース板２１上に導入することにより、ベース板２１の回転に伴う光ファイバの動きや引張力の発生が有効に回避される。
【０００５】
【発明が解決しようとする課題】
しかし、上記従来の蝶番構造においては、中空円筒部２３ｃを採用してスリット２３ｄを形成しているが、それだけでは、ベース板２１の開閉により光ファイバがスリット２３ｄに挟まり、損傷するおそれがあった。
【０００６】
また、蝶番２３を構成する各々の部品２３ｂ、２３ｃの各々のスリット２３ｄの位置合わせをした後、この位置がずれないようにしながら光ファイバをスリット２３ｄに通すのは容易ではなく、作業性が悪いという問題があった。
【０００７】
そこで、本発明は上記従来の蝶番構造における問題点に鑑みてなされたものであって、蝶番が開閉しても内部を挿通する光ファイバ等が損傷するおそれがなく、作業性の良い蝶番構造を提供することを目的とする。
【０００８】
【課題を解決するための手段】
上記目的を達成するため、請求項１記載の発明は、蝶番構造であって、平板部に側面の一部が開口した円筒部を所定の間隔を開けて２つ備えた第１部材と、平板部に側面の一部が開口した円筒部を１つ備えた第２部材と、側面の一部が開口した円筒軸状に形成され、前記第１部材及び前記第２部材の前記円筒部に収容され、その開口部が前記第１部材の開口部と一致した状態で前記第１部材と互いに回動できないように固定される第３部材とで構成され、前記第２部材は、該第２部材と前記第１部材との相対的な回動を制限する付勢手段を備え、前記第２部材が前記第１部材に対して前記第３部材を中心として相対的に回動し、前記第２部材の前記付勢手段に対抗する方向に前記第２部材を前記第１部材に対して相対的に回動させたときに、前記第１部材、第２部材及び第３部材の開口部が一致することを特徴とする。
【０００９】
請求項１記載の発明によれば、第１部材の開口部と第３部材の開口部とが一致した状態で互いに回動できないように固定しておいて、第２部材を第１部材に対して第３部材を中心として相対的に回動させることによって前記第１部材及び第３部材並びに第２部材の開口部を一致させ、その状態で光ファイバ等を第３部材内に容易に挿通させることができるため、作業性が良く、また、第２部材の付勢手段に対抗する方向に第２部材を前記第１部材に対して相対的に回動させなければ前記第１部材及び第３部材並びに第２部材の開口部が一致することがないため、通常の使用状態では前記第１部材及び第３部材並びに第２部材の開口部が一致することがなく、光ファイバ等の飛び出しをより確実に防止することができ、光ファイバ等の損傷を確実に防止することができる。
【００１４】
【発明の実施の形態】
次に、本発明にかかる蝶番構造の実施の形態の具体例を図面を参照しながら説明する。
【００１５】
図１は、本発明にかかる蝶番構造の第１実施例を示し、この蝶番構造１は、平板部を有する第１部材２及び第２部材３と、円筒状に形成された第３部材４とで構成される。
【００１６】
第１部材２は、平板部２ｃに側面の一部が開口した円筒部２ａ、２ｂを所定の間隔を開けて２つ備え、円筒部２ａ、２ｂの開口部の軸線は一致する。
【００１７】
第２部材３は、平板部３ｄに側面の一部が開口した円筒部３ａと、付勢手段として機能する弾性を備えたストッパ３ｂ、３ｃを備える。
【００１８】
第３部材４は、側面の一部が開口した円筒軸状に形成され、第１部材２の開口部と第３部材４の開口部が一致した状態で、第１部材２の円筒部２ａ、２ｂに第１部材２と互いに回動できないように収納され、第２部材３の円筒部３ａには互いに回動可能に収容される。そして、図２（ａ）の実線で示すように、第１部材２、第２部材３の円筒部２ａ、２ｂ、３ａに第３部材４を収容して、第１部材２、第２部材３及び第３部材４を組み立て、第３部材４の内部に光ファイバ５を挿通させると、光ファイバ５は第１部材２乃至第３部材４によって囲繞されているため、蝶番構造１の側面方向に飛び出すことはない。これによって、この蝶番構造１の通常の使用状態における光ファイバ５の飛び出しが防止される。
【００１９】
そして、図２（ｂ）に示すように、第２部材３を第１部材２に対して第３部材４を中心に相対的に回動させるとともに、ストッパ３ｂの弾性力に対抗して第２部材３をさらに回動させることにより、第１部材２乃至第３部材４の側面の開口部を一致させることができ、このときに、第２部材３から光ファイバ５を抜き取ることができる。また、第２部材３に光ファイバ５を挿通させるときも上記と同様の要領で行う。
【００２０】
尚、上記実施例においては、第１部材２に２つの円筒部２ａ、２ｂを設けたが、これらの円筒部を３つ以上設けてもよく、第２部材３に１つの円筒部３ａを設けたが、この円筒部３ａを２つ以上設けることも可能である。
【００２１】
次に、本発明にかかる蝶番構造の第２実施例を図３及び図４を参照しながら説明する。
【００２２】
本実施例において、第１部材１２、第３部材１４は、第１実施例における第１部材２及び第３部材４と同様の形状であるが、第２部材１３は、第２部材３におけるストッパ３ｂ、３ｃを有しない点が異なる。
【００２３】
図３に示すように、第１部材１２乃至第３部材１４の側面の開口部を一致させた後、光ファイバ１５を第３部材１４の内部に挿通させ、第２部材１３を第１部材１２に対して第３部材１４を中心として相対的に回動させることにより、光ファイバ１５を第１部材１２乃至第３部材１４によって囲繞することができ、光ファイバ１５の蝶番構造１１の側面方向からの飛び出しを防止することができる。
【００２４】
尚、上記両実施例においては、蝶番内に収容される物が光ファイバの場合について説明したが、本発明を光ファイバに限定することなく、他の線状材料についても適用することができるのはもちろんである。
【００２５】
【発明の効果】
以上説明したように、本発明によれば、蝶番が開閉しても内部を挿通する光ファイバ等が損傷するおそれがなく、作業性の良い蝶番構造を提供することができる。
【図面の簡単な説明】
【図１】本発明にかかる蝶番構造の第１実施例を示す斜視図である。
【図２】図１の蝶番構造の動作を説明するための正面図である。
【図３】本発明にかかる蝶番構造の第２実施例の動作を説明するための正面図である。
【図４】本発明にかかる蝶番構造の第２実施例の動作を説明するための正面図である。
【図５】従来の光ファイバ接続板の一例を示す斜視図である。
【図６】図５の光ファイバ接続板の蝶番を示す断面図である。
【符号の説明】
１      蝶番構造
２      第１部材
２ａ、２ｂ      円筒部
２ｃ    平板部
３      第２部材
３ａ    円筒部
３ｂ、３ｃ      ストッパ
３ｄ    平板部
４      第３部材
５      光ファイバ
１１    蝶番構造
１２    第１部材
１３    第２部材
１４    第３部材
１５    光ファイバ
【図１】
0003834198.tif 000002
【図２】
0003834198.tif 000003
【図３】
0003834198.tif 000004
【図４】
0003834198.tif 000005
【図５】
0003834198.tif 000006
【図６】
0003834198.tif 000007